(57)【要約】【課題】見た目に新しく遊技者へのインパクトは維持しつつ、遊技店側において釘調整を行い易いパチンコ遊技機用入賞装置およびパチンコ遊技機を提供する。【解決手段】第２大入賞口１２は、玉の誘導路である外側誘導部７５と、この外側誘導部７５の開口端部に下部を軸にして回動可能に設けられその開放状態のときに外側入賞口７８を形成する外側開放扉７６とを備える。この外側開放扉７６に切欠部７７を形成する。外側開放扉７６が閉鎖状態にあるときのその切欠部７７の位置に、第１大入賞口１１が配設されている。第１大入賞口１１は、玉の誘導路である内側誘導部７１と、この内側誘導部７１の開口端部に下部を軸にして回動可能に設けられその開放状態のときに内側入賞口７３を形成する内側開放扉７２とを備える。外側誘導部７５と内側誘導部７１とは、一体的に形成される。第２大入賞口１２（外側開放扉７６）への玉の寄り具合を調整すれば、第１大入賞口１１（内側開放扉７２）の玉の寄り具合も自然に調整できる。【選択図】図１
2006320403.tif 000002
【特許請求の範囲】
【請求項１】
第１の可変入賞口と、
当該第１の可変入賞口を挟み込むように一体的に設けられた第２の可変入賞口とを備えることを特徴とするパチンコ遊技機用入賞装置。
【請求項２】
前記第２の可変入賞口として閉鎖状態と開放状態とを呈しその開放状態のときに玉の入賞が可能な外側入賞口を形成する外側開放部材が設けられるとともに、この外側開放部材の内側に位置し、前記第１の可変入賞口として閉鎖状態と開放状態とを呈しその開放状態のときに玉の入賞が可能な内側入賞口を形成する内側開放部材が、前記外側開放部材の開閉動作と干渉しないように設けられる請求項１に記載のパチンコ遊技機用入賞装置。
【請求項３】
パチンコ遊技機における所定の大当たり条件が成立したときに、前記第１及び第２の可変入賞口のうちのいずれか１つが開放される請求項１または２に記載のパチンコ遊技機用入賞装置。
【請求項４】
前記外側開放部材として板状をなしその下端部が軸支され開放状態のときに外側入賞口を形成する外側開放扉が設けられ、この外側開放扉には扉厚さ方向に貫通する切欠部が形成され、その外側開放扉が閉鎖状態にあるときのその切欠部の位置に、前記内側開放部材として板状をなしその下端部が軸支され開放状態のときに内側入賞口を形成する内側開放扉が、前記外側開放扉の開閉状態に関わらず開閉可能に設けられる請求項２または３に記載のパチンコ遊技機用入賞装置。
【請求項５】
玉の誘導路の開口端部において、前記外側開放扉を軸支する外側誘導部が設けられるとともに、前記外側開放扉が閉鎖状態にあるときの切欠部の位置に、玉の誘導路の開口端部において前記内側開放扉を軸支する内側誘導部が設けられ、これら外側誘導部と内側誘導部とが一体的に形成され、
その外側誘導部と内側誘導部との間の開口部が前記外側開放扉の開閉により閉鎖状態と開放状態とを呈するようにして外側入賞口が形成されるとともに、その内側誘導部の開口部が前記内側開放扉の開閉により閉鎖状態と開放状態とを呈するようにして内側入賞口が形成される請求項４に記載のパチンコ遊技機用入賞装置。
【請求項６】
前記外側開放部材として、板状をなしその下端部が軸支され開放状態のときに外側左入賞口を形成する左扉部と板状をなしその下端部が軸支され開放状態のときに外側右入賞口を形成する右扉部とを分割形態で有する外側開放扉が設けられ、この外側開放扉の左右扉部分が閉鎖状態にあるときにその左扉部と右扉部とに挟まれた形態で、前記内側開放部材として板状をなしその下端部が軸支され開放状態のときに内側入賞口を形成する内側開放扉が、前記外側開放扉の左扉部及び右扉部の開閉状態に関わらず開閉可能に設けられる請求項２または３に記載のパチンコ遊技機用入賞装置。
【請求項７】
玉の誘導路の開口端部に前記外側開放扉の左扉部及び右扉部を軸支する外側誘導部が設けられるとともに、前記外側開放扉が閉鎖状態にあるときにその左扉部と右扉部とに挟まれた位置に、玉の誘導路の開口端部において前記内側開放扉を軸支する内側誘導部が設けられ、これら外側誘導部と内側誘導部とが一体的に形成され、
その外側誘導部と内側誘導部との間の開口部が前記外側開放扉の左扉部及び右扉部の開閉により閉鎖状態と開放状態とを呈するようにして外側入賞口が形成されるとともに、その内側誘導部の開口部が前記内側開放扉の開閉により閉鎖状態と開放状態とを呈するようにして内側入賞口が形成される請求項６に記載のパチンコ遊技機用入賞装置。
【請求項８】
請求項１ないし７のいずれか１項に記載のパチンコ遊技機用入賞装置を備えたことを特徴とするパチンコ遊技機。
【発明の詳細な説明】
【技術分野】
【０００１】
本発明は、パチンコ遊技機用入賞装置と入賞装置を備えるパチンコ遊技機に関する。
【背景技術】
【０００２】
従来のパチンコ遊技機として、例えば特許文献１に示すように、大当たり条件が成立したときに開放状態となる大入賞口（アタッカー）を縦に２つ並べた遊技機が開示されている。また、例えば特許文献２に示すように、大入賞口を横に２つ並べた遊技機が開示されている。これらの遊技機は、大入賞口が１つしか設けられていない遊技機に比べると、見た目のインパクトがあり、遊技状態に応じて開放する大入賞口を使い分ける場合に、遊技者から見て分かり易いものになっている。
【０００３】
【特許文献１】特開２００３−２０５１０４号公報
【特許文献２】特開２００５−６７５６号公報
【発明の開示】
【発明が解決しようとする課題】
【０００４】
しかしながら、これらの遊技機を管理し釘調整などを行う遊技店側から見ると、大入賞口の設定領域が縦や横にかなり広くなっているため、それぞれの大入賞口への打ち込まれた玉の寄り具合を調整するための釘調整を行うとき、かなり広い範囲の釘を調整する必要があり、当然調整する釘の数も増え、非常に管理しにくいものであった。また、一方の大入賞口に対する釘調整を行うと、もう一方の大入賞口への玉の寄り具合に影響を与えてしまい、非常に調整しづらいものとなっていた。
【０００５】
本発明は上記した背景をもとになされたもので、見た目に新しく遊技者へのインパクトは維持しつつ、遊技店側において釘調整を行い易いパチンコ遊技機用入賞装置及びパチンコ遊技機を提供することを課題とする。
【課題を解決するための手段及び発明の効果】
【０００６】
上記課題を解決するために本発明のパチンコ遊技機用入賞装置は、第１の可変入賞口と、第１の可変入賞口を挟み込むように一体的に設けられた第２の可変入賞口とを備えることを特徴とする。特に、第２の可変入賞口として閉鎖状態と開放状態とを呈しその開放状態のときに玉の入賞が可能な外側入賞口を形成する外側開放部材が設けられるとともに、この外側開放部材の内側に位置し、第１の可変入賞口として閉鎖状態と開放状態とを呈しその開放状態のときに玉の入賞が可能な内側入賞口を形成する内側開放部材が、外側開放部材の開閉動作と干渉しないように設けられることを特徴とする。
【０００７】
上記本発明のパチンコ遊技機用入賞装置は、複数の可変入賞口のうちの第２の可変入賞口としてその開放状態のときに玉の入賞が可能な外側入賞口を形成する外側開放部材の内側に、第１の可変入賞口としてその開放状態のときに玉の入賞が可能な内側入賞口を形成する内側開放部材が、外側開放部材の開閉動作と干渉しないように設けられており、いずれか１つの可変入賞口に対して玉の寄り具合を調整すれば、他の可変入賞口の玉の寄り具合も自然に調整でき、釘調整が行い易い。
【０００８】
その際、パチンコ遊技機における所定の大当たり条件が成立したときに、第１及び第２の可変入賞口のうちのいずれか1つを開放するようにできる。このように所定の大当たり条件の成立により可変入賞口のいずれか１つを開放するようにでき、例えば大入賞口をこのように構成することにより、従来の市場の多くを占めている大入賞口が１つの遊技機の釘調整と比べても違和感がなく作業が可能である。
【０００９】
また、その際、外側開放部材として板状をなしその下端部が軸支され開放状態のときに外側入賞口を形成する外側開放扉を設け、この外側開放扉には扉厚さ方向に貫通する切欠部が形成され、その外側開放扉が閉鎖状態にあるときのその切欠部の位置に、内側開放部材として板状をなしその下端部が軸支され開放状態のときに内側入賞口を形成する内側開放扉を、外側開放扉の開閉状態に関わらず開閉可能に設けることができる。このように外側開放扉に形成された切欠部の位置に、内側開放扉を外側開放扉の開閉状態に関わらず開閉可能に設けており、例えば大入賞口をこのように構成することにより、外側大入賞口（外側開放扉）への玉の寄り具合を調整すれば、内側大入賞口（内側開放扉）の玉の寄り具合も自然に調整でき、遊技店側において釘調整を行い易いパチンコ遊技機用入賞装置を提供できる。
【００１０】
さらに、その際、玉の誘導路の開口端部において、外側開放扉を軸支する外側誘導部を設けるとともに、外側開放扉が閉鎖状態にあるときの切欠部の位置に、玉の誘導路の開口端部において内側開放扉を軸支する内側誘導部を設け、これら外側誘導部と内側誘導部とを一体的に形成することができる。そして、その外側誘導部と内側誘導部との間の開口部が外側開放扉の開閉により閉鎖状態と開放状態とを呈するようにして外側入賞口を形成するとともに、その内側誘導部の開口部が内側開放扉の開閉により閉鎖状態と開放状態とを呈するようにして内側入賞口を形成することができる。このように外側開放扉を軸支する外側誘導部と内側開放扉を軸支する内側誘導部とを一体的に形成しており、例えば複数の大入賞口をこのように構成することにより、遊技盤面上の複数の大入賞口をより狭い範囲で設けることが可能となり、遊技盤面を有効に利用することができる。また、見た目に新しく遊技者へのインパクトを維持しつつ、かつ釘調整のし易いパチンコ遊技機用入賞装置を提供可能である。
【００１１】
また、その際、外側開放部材として、板状をなしその下端部が軸支され開放状態のときに外側左入賞口を形成する左扉部と板状をなしその下端部が軸支され開放状態のときに外側右入賞口を形成する右扉部とを分割形態で有する外側開放扉を設け、この外側開放扉が閉鎖状態にあるときにその左扉部と右扉部とに挟まれた形態で、内側開放部材として板状をなしその下端部が軸支され開放状態のときに内側入賞口を形成する内側開放扉を、外側開放扉の左扉部及び右扉部の開閉状態に関わらず開閉可能に設けることができる。このように外側開放扉の左扉部と右扉部とに挟まれた形態で、内側開放扉を、外側開放扉の開閉状態に関わらず開閉可能に設けており、例えば大入賞口をこのように構成することにより、外側大入賞口（外側開放扉）への玉の寄り具合を調整すれば、内側大入賞口（内側開放扉）の玉の寄り具合も自然に調整でき、遊技店側において釘調整を行い易いパチンコ遊技機用入賞装置を提供できる。
【００１２】
さらに、その際、玉の誘導路の開口端部において、外側開放扉の左扉部及び右扉部を軸支する外側誘導部を設けるとともに、外側開放扉が閉鎖状態にあるときにその左扉部と右扉部とに挟まれた位置に、玉の誘導路の開口端部において内側開放扉を軸支する内側誘導部を設け、これら外側誘導部と内側誘導部とを一体的に形成することができる。そして、その外側誘導部と内側誘導部との間の開口部が外側開放扉の左扉部及び右扉部の開閉により閉鎖状態と開放状態とを呈するようにして外側入賞口を形成するとともに、その内側誘導部の開口部が内側開放扉の開閉により閉鎖状態と開放状態とを呈するようにして内側入賞口を形成することができる。このように外側開放扉を軸支する外側誘導部と内側開放扉を軸支する内側誘導部とを一体的に形成しており、例えば複数の大入賞口をこのように構成することにより、遊技盤面上の複数の大入賞口をより狭い範囲で設けることが可能となり、遊技盤面を有効に利用することができる。また、見た目に新しく遊技者へのインパクトを維持しつつ、かつ釘調整のし易いパチンコ遊技機用入賞装置を提供可能である。
【００１３】
その際、上記記載のパチンコ遊技機用入賞装置をパチンコ遊技機に備えることができる。このように、例えば上記効果を有するパチンコ遊技機用入賞装置を備えたパチンコ遊技機を構成することにより、遊技盤面上の複数の大入賞口をより狭い範囲で設けることが可能となり、遊技盤面を有効に利用することができる。また、見た目に新しく遊技者へのインパクトを維持しつつ、かつ釘調整のし易いパチンコ遊技機を提供可能である。
【発明を実施するための最良の形態】
【００１４】
（実施例）
以下、本発明のパチンコ遊技機の実施の形態について、図面を参照して説明する。図１はパチンコ遊技機１の正面模式図である。パチンコ遊技機１は、台枠に取り付けられた透明ガラス扉２と、台枠の内側に配置されてガラス扉２によって覆われる遊技盤３を有する。遊技盤３は、円状に遊技領域が形成されている。遊技盤３の下方には、玉供給皿４が設けられている。玉供給皿４に準備された玉は、ハンドル５を含んで構成される玉発射機構によって遊技盤３に向けて発射される。遊技盤３に達した玉は、その遊技盤３の面上を落下する。
【００１５】
遊技盤３の面上には、その中央部に役物装置６が設けられ、その役物装置６内の中央に液晶式の特別図柄表示部７が配設されている。特別図柄表示部７ではアラビア数字等のキャラクタが３つ（複数桁）表示されるようになっている。役物装置６の下方には、第１特別始動入賞口８と、その第１特別始動入賞口８の直ぐ下に第２特別始動可変入賞口９とが設けられている。役物装置６の左方には普図始動入賞口１０が設けられている。第２特別始動可変入賞口９の下方には、複数の大入賞口（本発明におけるパチンコ遊技機用入賞装置）、この例では２つの大入賞口が一体的に設けられている。すなわち、当該パチンコ遊技機１にて第１大当たりが発生したときに開放するアタッカーである第１大入賞口１１と、この第１大入賞口１１を取り囲むように、当該パチンコ遊技機１にて第２大当たりが発生したときに開放するアタッカーである第２大入賞口１２とが一体的に設けられている。これら第１,第２大入賞口１１,１２の下方には玉を回収するためのアウト口１３が設けられている。
【００１６】
第２特別始動可変入賞口９は、いわゆる普通電動役物であり、入賞口の両側に可動部材１４,１４が可動可能に設けられ、動作時に左右に開くように可変式の入賞口として構成されている。すなわち、非動作時には図１に示すように閉鎖した第１状態を呈し、動作時には開放した第２状態を呈するものである。
【００１７】
次に、図２に示すのは、パチンコ遊技機１の遊技制御装置２０の構成を示すブロック図である。遊技制御装置２０は、メイン基板２１、このメイン基板２１に搭載されたＣＰＵ２２、ＲＯＭ２３、ＲＡＭ２４、入出力回路（Ｉ／Ｏ）２５、ＣＰＵ２２からの制御信号の出力が接続される表示制御基板２６、音声制御基板２７、ランプ制御基板２８、払出制御基板２９、発射制御基板３０、この遊技制御装置２０に電源を供給する電源回路３１を含み構成される。パチンコ遊技機１は、ＲＯＭ２３に格納されたパチンコ遊技機１の全体を制御する制御プログラム５１、図柄変動処理プログラム５２、第１大当たり処理プログラム５３及び第２大当たり処理プログラム５４によって制御される。
【００１８】
玉の通過を検知したとき検知信号を出力する検知スイッチとして、第１特別始動入賞検出器３２、第２特別始動可変入賞検出器３３、普図始動入賞検出器３４、第１大入賞検出器３５、第２大入賞検出器３６が入出力回路（Ｉ／Ｏ）２５を介してＣＰＵ２２に接続されている。特別始動可変入賞口開放用ソレノイド３７、第１大入賞口開放用ソレノイド３８、第２大入賞口開放用ソレノイド３９が入出力回路（Ｉ／Ｏ）２５を介してＣＰＵ２２に接続されている。ＣＰＵ２２からの制御信号により特別始動可変入賞口開放用ソレノイド３７が駆動され、可動部材１４,１４の開閉が制御される。また、ＣＰＵ２２からの制御信号により第１大入賞口開放用ソレノイド３８が駆動され、第１大入賞口１１の開閉が制御されるとともに、第２大入賞口開放用ソレノイド３９が駆動され、第２大入賞口１２の開閉が制御される。
【００１９】
表示制御基板２６にはＣＰＵ２２からの制御信号が入力され、該制御信号に応じて特別図柄表示部７の表示が制御される。また、音声制御基板２７では音声信号を作成し、音声信号が増幅されスピーカ４１から音声が出力される。ランプ制御基板２８にはＣＰＵ２２からの制御信号が入力され制御信号に応じて装飾ランプ等のランプ類４２が制御される。また、払出制御基板２９では制御信号に応じて賞球や貸球の払出装置４３を制御する。発射制御基板３０では同様に玉の発射装置４４を制御する。
【００２０】
図３は第１大入賞口１１及び第２大入賞口１２の説明図である。図３（ａ）は正面図、図３（ｂ）は図３（ａ）のＡ−Ａ断面図、図３（ｃ）は図３（ａ）のＢ−Ｂ断面図である。図４は第１大当たり発生時の動作例を示す図、図５は第２大当たり発生時の動作例を示す図である。第１大入賞口１１と第２大入賞口１２とは、それぞれ閉鎖状態と開放状態とを呈する可変入賞口であり、外側の第２大入賞口１２が内側の第１大入賞口１１を取り囲むような形態で、それらが一体的に形成されている。
【００２１】
第２大入賞口１２は、正面が開口した玉の誘導路である外側誘導部７５と、この外側誘導部７５の正面開口を塞ぐように板状をなし、下部を軸にして回動可能に設けられた外側開放扉７６（外側開放部材）とを備える。外側開放扉７６は、下部が外側誘導部７５の開口端部に軸支され、その閉鎖状態のときに外側誘導部７５の正面開口を塞ぐようにしている。外側誘導部７５が遊技盤３を貫通して嵌め込まれた形態をなし、外側開放扉７６の扉面がその閉じた状態のときに、遊技盤３の盤面上に位置するようになっている。
【００２２】
外側開放扉７６には、その板状の上部側中央寄りに上方に開口する方形状の切欠部７７が形成されている。外側開放扉７６が、下部を軸にして前後方向（パチンコ遊技機１のガラス扉２側を前方側、台の裏側にあたる側を後方側としたときの前後方向）に開放状態のときに、上部に玉を受入可能な開口部７８（外側入賞口）が形成される（図５参照）。この外側開放扉７６の後方には、第２大入賞口１２に入賞した玉を台の後方に誘導する流通路７９が形成され、その流通路７９の所定箇所に、第２大入賞口１２への入賞を検出する第２大入賞検出器３６が設けられている。
【００２３】
この第２大入賞口１２を構成する外側開放扉７６が閉鎖状態にあるときの切欠部７７の部分に位置して、第１大入賞口１１が配設されている。第１大入賞口１１は、玉の誘導路である内側誘導部７１と、この内側誘導部７１の正面開口を塞ぐように板状をなし、下部を軸にして回動可能に設けられた内側開放扉７２（内側開放部材）とを備える。内側開放扉７２は、下部が内側誘導部７１の開口端部に軸支され、その閉鎖状態のときに内側誘導部７１の正面開口を塞ぐようにしている。前述の外側開放扉７６と同様に、内側開放扉７２の扉面がその閉じた状態のときに、遊技盤３の盤面上に位置するようになっている。内側開放扉７２が、下部を軸にして前後方向に開放状態のときに、上部に玉を受入可能な開口部７３（内側入賞口）が形成される（図４参照）。この内側開放扉７２は、外側開放扉７６の開閉動作を干渉しないように、外側開放扉７６の開閉状態に関わらず開閉可能に設けられる。この内側開放扉７２の後方には、第１大入賞口１１に入賞した玉を台の後方に誘導する流通路７４が形成され、その流通路７４の所定箇所に、第１大入賞口１１への入賞を検出する第１大入賞検出器３５が設けられている。
【００２４】
上記外側誘導部７５と内側誘導部７１とは一体的に形成されている。その外側誘導部７５に設けられた外側開放扉７６の上端と、内側誘導部７１に設けられた内側開放扉７２の上端とは、図３（ａ）に示すように、同一線上（Ｈ線上）に位置するようにしている。そして、外側誘導部７５と内側誘導部７１との間の開口部７８が外側開放扉７６の開閉により閉鎖状態と開放状態とを呈するようにして外側入賞口となるとともに、その内側誘導部７１の開口部７３が内側開放扉７２の開閉により閉鎖状態と開放状態とを呈するようにして内側入賞口となる。
【００２５】
本実施例では、パチンコ遊技機１において、所定の大当たり条件が成立したときに、第１大入賞口１１、第２大入賞口１２のうちのいずれか１つが開放されるように開放制御されるようにしている。
【００２６】
図１において丸で囲まれたａ部は、大入賞口（第１大入賞口１１及び第２大入賞口１２）への玉の寄りを調整する釘の配置を示す。本実施例では、上記のように外側の第２大入賞口１２が内側の第１大入賞口１１を取り囲むような形態で、それらが一体的に形成されており、外側の第２大入賞口１２に対して、打ち込まれた玉の寄り具合を調整するだけで、内側の第１大入賞口１１への玉の寄り具合も自然に調整できる。
【００２７】
図６は役物装置６の構成を示す図であり、図６（ａ）は正面図、図６（ｂ）は斜視図である。役物装置６は、前面が開口し前後方向に延びた箱形状形態をなした一つのハウジング（筐体）で構成され、遊技盤３に取付けられている。役物装置６は、中央が高い山形状に形成された上面壁６ａと、その上面壁６ａ下端から垂直に下方に延びた側面壁６ｂ,６ｂとを有している。左右側面壁６ｂ,６ｂには、役物装置６内に玉を受入可能な玉受入口６１,６１がそれぞれ設けられている。そして、この玉受入口６１,６１に連通して、役物装置６内の後方に玉を導く誘導樋６２,６２が、それぞれ側面壁６ｂ,６ｂの内側に取付けられている。
【００２８】
役物装置６の下部には、波形状をなしたステージ面６３が設けられている。このステージ面６３は、後方から前方に向かって、前方が低い３段のステージ面６３ａ,６３ｂ,６３ｃを有する。それらステージ面６３ａ,６３ｂ,６３ｃはその波形状が互い違いに重ならないように形成され配置されている。各ステージ面６３ａ,６３ｂ,６３ｃは前方側（ガラス扉２側）が低くなるように少し傾斜している。これにより、玉受入口６１,６１から役物装置６に入った玉は、誘導樋６２,６２を通って、ステージ面６３ａ上に落下し、そこから前方にステージ面６３ｂ,６３ｃを通って、玉の速度が遅くなって、役物装置６の下部から役物装置６の外に排出される。最も低いステージ面６３ｃの中央には波形の谷部が形成され、その下方に第１特別始動入賞口８が配置されている。従って、ステージ面６３ｃの中央の波形の谷部から落下する玉は第１特別始動入賞口８に入り易いといえる。
【００２９】
次に、具体的な制御手順について、フローチャートを参照しつつ説明する。ＲＯＭ２３に格納された図柄変動処理プログラム５２について、図７に示すフローチャートにより説明する。なお、ＲＯＭ２３に格納された制御プログラム５１は、パチンコ遊技機１の全体の制御を司るもので、パチンコ遊技機１への電源投入後に、割込みモードの設定やＲＡＭチェック等の初期化処理、初期化処理の終了後に第１特別始動入賞口８、第２特別始動可変入賞口９等への入賞検出処理、大当たり抽選処理、図柄変動処理、大当たり処理などを実行する周知の内容であるため説明を省略する。
【００３０】
本実施例では、始動入賞口が複数、この例では、第１特別始動入賞口８と第２特別始動可変入賞口９との２つが設けられている。これら始動入賞口への入賞に伴い大当たり抽選を行っている。大当たり抽選について説明する。第１特別始動入賞口８に付設された第１特別始動入賞検出機３２により玉の入賞を検出するか、或いは第２特別始動可変入賞口９に付設された第２特別始動可変入賞検出器３３により玉の入賞を検知すると、入賞検知信号がＣＰＵ２２に伝送される。ＣＰＵ２２に第１特別始動入賞検出機３２或いは第２特別始動可変入賞検出器３３からの入賞検知信号が入力されたタイミングに応じて、ＣＰＵ２２が大当たり判定用カウンタから乱数値（カウンタ値）を取得し、その乱数値が大当たり乱数に一致するか否かを判定することにより大当たりの抽選を行っている。抽選処理で乱数値が大当たり乱数である場合、大当たり条件成立となる。ＣＰＵ２２は当否抽選手段として機能する。
【００３１】
ＣＰＵ２２はこの大当たり抽選処理の結果を受けて、役物装置６の特別図柄表示部７に導出表示させるべき図柄を決定する。その決定に基づく表示制御信号がＣＰＵ２２から表示制御基板２６に出力される。本実施例では、大当たり図柄で停止する確率（大当たり確率）は、通常状態では１／３９５、確変状態では１／５０と設定されている。確変状態では、大当たり確率が高められた設定となっている。
【００３２】
なお、大当たり抽選結果は、ＲＡＭ２４に割り当てられた保留玉記憶領域に一時的に記憶される。ＣＰＵ２２は、役物装置６の特別図柄表示部７において新たな図柄変動動作を行うことができるかどうかを確認してから、抽選結果を読み出し、図柄変動動作を開始する。先の大当たり抽選処理に係る図柄変動動作が行われている場合、大当たり抽選処理の結果を含む抽選データは、４個を上限として保留玉記憶領域に記憶される。
【００３３】
第２特別始動可変入賞口９の開放について説明する。第２特別始動可変入賞口９は普図抽選により当たりとなった場合に開放する。普図始動入賞口１０に付設された普図始動入賞検出器３４により玉の入賞を検知すると、入賞検知信号がＣＰＵ２２に伝送される。ＣＰＵ２２に普図始動入賞検出器３４からの入賞検知信号が入力されたタイミングに応じて、ＣＰＵ２２が判定用カウンタから乱数値（カウンタ値）を取得し、その乱数値が当たり乱数に一致するか否かを判定することにより普図抽選を行っている。普図抽選結果は、特別図柄表示部７の近傍などの所定箇所に表示される。普図抽選において当たりとなると、確変状態が発生していない通常状態においては第２特別始動可変入賞口９を０．２秒開放する一方、確変状態においては第２特別始動可変入賞口９を５秒開放する。ＣＰＵ２２からの制御信号により特別始動可変入賞口開放用ソレノイド３７が駆動され、可動部材１４,１４が開放状態となり、玉の入賞率が高まるとともに、上記開放時間経過後、閉鎖状態となり、開放状態と比べて入賞率が低くなる。
【００３４】
第１特別始動入賞口８或いは第２特別始動可変入賞口９への入賞があり、大当たり抽選が実行され、その抽選結果に応じて、特別図柄表示部７にて図柄を変動表示した後、停止表示する。図７の図柄変動処理において、停止図柄が予め定められた大当たり図柄であるか否かを判定し（Ｓ１）、大当たり図柄でない場合、リターンする一方、大当たり図柄である場合、その大当たり図柄が普通大当たり図柄であるか否かを判定する（Ｓ２）。本実施例では、大当たり図柄として、普通大当たり図柄と確変大当たり図柄とが設定されている。そして、普通大当たり図柄である確率は４／１０、確変大当たり図柄である確率は６／１０と設定されている。
【００３５】
Ｓ２において、普通大当たり図柄である場合、第１大当たりフラグをオンにし（Ｓ３）、一方普通大当たり図柄でない場合（言い換えれば確変大当たり図柄である場合）、第２大当たりフラグをオンにする（Ｓ４）。
【００３６】
次に、ＲＯＭ２３に格納された第１大当たり処理プログラム５３について、図８に示すフローチャートにより説明する。本実施例では、第１大当たりが発生すると、第１大入賞口１１の開閉処理が行われる。第１大当たりフラグがオンであるか否かを判定し（Ｓ１１）、第１大当たりフラグがオンでない場合、リターンする一方、第１大当たりフラグがオンである場合、ラウンド数が１５に達したか否かを判定する（Ｓ１２）。第１大入賞口開放用ソレノイド３８が駆動され、第１大入賞口１１（内側開放扉７２）を閉鎖状態から開放状態とする。この例では、その第１大入賞口１１への最大入賞個数である９個の入賞を検知するか、或いはその第１大入賞口１１の最大開放時間である２５秒間を経過するか、のいずれか早い方が成立するまでを１ラウンドとし、一旦第１大入賞口１１を閉鎖し、１５ラウンド終了するまでこの開閉処理を繰り返すようにしている。
【００３７】
Ｓ１２においてラウンド数が１５に達していない場合、ラウンド数を「１」インクリメントする（Ｓ１３）。ラウンド数はＣＰＵ２２にてカウントされる。続いて第１大入賞口１１を開放し（Ｓ１４）、その後第１大入賞口１１へ９個の玉の入賞が検知されたか否かを判定する（Ｓ１５）。ここで９個の入賞が検知された場合、第１大入賞口１１を閉鎖する（Ｓ１７）一方、９個の入賞が検知されない場合、第１大入賞口１１の開放時間が２５秒経過したか否かを判定する（Ｓ１６）。ここで第１大入賞口１１の開放時間が２５秒経過した場合、第１大入賞口１１を閉鎖する（Ｓ１７）。Ｓ１２においてラウンド数が１５に達した場合、第１大当たりフラグをオフにする（Ｓ１８）。１５ラウンド終了した時点で第１大当たりは終了し、通常状態に戻る。
【００３８】
次に、ＲＯＭ２３に格納された第２大当たり処理プログラム５４について、図９に示すフローチャートにより説明する。本実施例では、第２大当たりが発生すると、第２大入賞口１２の開閉処理が行われる。第２大当たりフラグがオンであるか否かを判定し（Ｓ２１）、第２大当たりフラグがオンでない場合、リターンする一方、第２大当たりフラグがオンである場合、ラウンド数が１６に達したか否かを判定する（Ｓ２２）。第２大入賞口開放用ソレノイド３９が駆動され、第２大入賞口１２（外側開放扉７６）を閉鎖状態から開放状態とする。この例では、その第２大入賞口１２への最大入賞個数である１０個の入賞を検知するか、或いはその第２大入賞口１２の最大開放時間である２５秒間を経過するか、のいずれか早い方が成立するまでを１ラウンドとし、一旦第２大入賞口１２を閉鎖し、１６ラウンド終了するまでこの開閉処理を繰り返すようにしている。この例では、第２大当たりは第１大当たりよりも遊技者にとって有利な設定となっている。
【００３９】
Ｓ２２においてラウンド数が１６に達していない場合、ラウンド数を「１」インクリメントする（Ｓ２３）。続いて第２大入賞口１２を開放し（Ｓ２４）、その後第２大入賞口１２へ１０個の玉の入賞が検知されたか否かを判定する（Ｓ２５）。ここで１０個の入賞が検知された場合、第２大入賞口１２を閉鎖する（Ｓ２７）一方、１０個の入賞が検知されない場合、第２大入賞口１２の開放時間が２５秒経過したか否かを判定する（Ｓ２６）。ここで第２大入賞口１２の開放時間が２５秒経過した場合、第２大入賞口１２を閉鎖する（Ｓ１７）。Ｓ２２においてラウンド数が１６に達した場合、第２大当たりフラグをオフにする（Ｓ２８）。１６ラウンド終了した時点で第２大当たりは終了する。ＣＰＵ２２は大当たり状態発生手段として機能する。そして、第２大当たりの場合（確変大当たりの場合）、その大当たり終了後遊技者に有利な確変状態（特別遊技状態）などを発生させる。ＣＰＵ２２は特別遊技状態発生手段として機能する。
【００４０】
このように第２大入賞口１２の外側開放扉７６に切欠部７７が形成され、その切欠部７７に位置し、第１大入賞口１１の内側開放扉７２が、外側開放扉７６に取り囲まれるような形態で、それらが一体的に設けられており、第２大入賞口１２（外側開放扉７６）への玉の寄り具合を調整すれば、第１大入賞口１１（内側開放扉７２）の玉の寄り具合も自然に調整でき、遊技店側において釘調整を行い易い。また、所定の大当たり条件の成立により第１大入賞口１１、第２大入賞口１２のいずれか１つが開放されるようにでき、大入賞口をこのように構成することにより、従来の市場の多くを占めている大入賞口が１つの遊技機の釘調整と比べても違和感がなく作業が可能である。
【００４１】
さらに、このように外側開放扉７６を軸支する外側誘導部７５と内側開放扉７２を軸支する内側誘導部７１とを一体的に形成しており、複数の大入賞口をこのように構成することにより、これまでにない形態の大入賞口となり遊技者にインパクトを与えることができるとともに、遊技盤上に複数の大入賞口をより狭い範囲で設けることが可能となり、遊技盤面を有効に利用することができるパチンコ遊技機を提供できる。
【００４２】
（変形例１）
図１０は、第１大入賞口と第２大入賞口とを一体的に形成する変形例を示す。図１１はその第１大当たりの動作例を示す図、図１２はその第２大当たりの動作例を示す図である。この変形例では、第１大入賞口１１を構成する内側開閉扉８２を、実施例よりも大きく（開放状態における開口を大きく）なるようにしている。
【００４３】
第２大入賞口１２を構成する外側開放扉８６には、その板状の上部側中央寄りに上方に開口する方形状の切欠部８７が形成されている。この切欠部８７の切欠き深さが実施例よりも深く形成される。すなわち、外側開放扉８６の上部側から中央を越え下部側に向かって切欠部８７が形成される。従って、外側開放扉８６には、この切欠部８７の両側に左扉部８６ａと右扉部８６ｂと、これらを繋ぐ連結部８６ｃとが形成される。外側誘導部７５は、実施例と同じ大きさである。そして、外側開放扉８６が、下部を軸にして前後方向に開放状態のときに、上部に玉を受入可能な開口部８８（外側入賞口）が形成される（図１２参照）。この外側開放扉８６の後方には、第２大入賞口１２に入賞した玉を台の後方に誘導する流通路８９が形成されている。この例では、その流通路８９において、左扉部８６ａと右扉部８６ｂとのそれぞれ後方位置に、第２大入賞口１２への入賞を検出する第２大入賞検出器３６ａ,３６ｂが設けられている。すなわち、第２大入賞検出器が２個設けられている。
【００４４】
この第２大入賞口１２を構成する外側開放扉８６が閉鎖状態にあるときの切欠部８７の部分に位置して、第１大入賞口１１を構成する内側開放扉８２が設けられている。従って、この例では、玉の誘導路である内側誘導部８１の高さ寸法が、切欠部８７の深さ寸法に対応して高くなるように、外側誘導部７５と一体的に形成されている。そして、内側開放扉８２が、下部を軸にして前後方向に開放状態のときに、上部に玉を受入可能な開口部８３（内側入賞口）が形成される（図１１参照）。この内側開放扉８２の後方には、第１大入賞口１１に入賞した玉を台の後方に誘導する流通路８４が形成され、その流通路８４の所定箇所に、第１大入賞口１１への入賞を検出する第１大入賞検出器３５が設けられている。
【００４５】
このように第１大入賞口１１を構成する内側開閉扉８２を大きくして、第１大入賞口１１への玉が入賞し易いようにしてもよい。この場合も、第２大入賞口１２の外側開放扉８６の切欠部８７の部分に位置し、第１大入賞口１１の内側開放扉８２が、外側開放扉８６に取り囲まれるような形態で、それらが一体的に設けられており、第２大入賞口１２（外側開放扉８６）への玉の寄り具合を調整すれば、第１大入賞口１１（内側開放扉８２）の玉の寄り具合も自然に調整でき、釘調整を行い易い。
【００４６】
（変形例２）
図１３は、第１大入賞口と第２大入賞口とを一体的に形成する他の変形例を示す。図１４はその第１大当たりの動作例を示す図、図１５はその第２大当たりの動作例を示す図である。この変形例では、第１大入賞口１１を構成する内側開閉扉９２が、第２大入賞口１２を構成する外側開放扉９６で挟まれた形態となるようにしている。すなわち、変形例１における外側開放扉８６の連結部８６ｃをなくした形態としている。
【００４７】
第２大入賞口１２を構成する外側開放扉９６は、左扉部９６ａと右扉部９６ｂとを有する。外側誘導部７５は、実施例と同じ大きさである。そして、外側開放扉９６の左扉部９６ａと右扉部９６ｂとは、外側誘導部７５の開口端部に軸支され、それぞれ下部を軸にして前後方向に開放状態のときに、上部に玉を受入可能な開口部９８ａ（外側左入賞口）,９８ｂ（外側右入賞口）が形成される（図１５参照）。この例では、開口部９８ａ（外側左入賞口）と９８ｂ（外側右入賞口）とで外側入賞口を構成する。この外側開放扉９６の左扉部９６ａと右扉部９６ｂとのそれぞれ後方には、第２大入賞口１２に入賞した玉を台の後方に誘導する流通路９９ａ,９９ｂが形成されている。この例では、その流通路９９ａ,９９ｂにおいて、左扉部９６ａと右扉部９６ｂとのそれぞれ後方位置に、第２大入賞口１２への入賞を検出する第２大入賞検出器３６ａ,３６ｂが設けられている。
【００４８】
そして、この第２大入賞口１２を構成する外側開放扉９６が閉鎖状態にあるときの、その左扉部９６ａと右扉部９６ｂとに挟まれた位置に、第１大入賞口１１を構成する内側開放扉９２が設けられている。この例では、玉の誘導路である内側誘導部９１の高さ寸法が、外側誘導部７５と同じ寸法となるように一体的に形成されている。従って、内側開放扉９２の高さ寸法が、外側開放扉９６の左扉部９６ａと右扉部９６ｂと同じ高さ寸法となっている。そして、内側開放扉９２が、内側誘導部９１の開口端部に軸支され、下部を軸にして前後方向に開放状態のときに、上部に玉を受入可能な開口部９３（内側入賞口）が形成される（図１４参照）。この内側開放扉９２の後方には、第１大入賞口１１に入賞した玉を台の後方に誘導する流通路９４が形成され、その流通路９４の所定箇所に、第１大入賞口１１への入賞を検出する第１大入賞検出器３５が設けられている。
【００４９】
上記内側誘導部９１と外側誘導部７５とは一体的に形成されている。そして、外側誘導部７５と内側誘導部９１との間の開口部９８ａ,９８ｂが外側開放扉９６ａ,９６ｂの開閉により閉鎖状態と開放状態とを呈するようにして外側入賞口となるとともに、その内側誘導部９１の開口部９３が内側開放扉９２の開閉により閉鎖状態と開放状態とを呈するようにして内側入賞口となる。なお、外側開放扉９６の左扉部９６ａと右扉部９６ｂとは、下部が外側誘導部７５と内側誘導部９１とにそれぞれ軸支された形態にできる。また、この例では左扉部９６ａと右扉部９６ｂとをそれぞれ駆動する第２大入賞口開放用ソレノイドが２個設けられ（図示せず）、それらが同期して動作が行なわれるようにしている。
【００５０】
このように第１大入賞口１１を構成する内側開閉扉９２が、第２大入賞口１２を構成する外側開放扉９６の左扉部９６ａと右扉部９６ｂとで挟まれた形態として、内側開放扉９２の開放状態のときの開口をさらに大きくし、第１大入賞口１１へ玉がさらに入賞し易いようにしてもよい。この場合も、第２大入賞口１２を構成する外側開放扉９６の左扉部９６ａと右扉部９６ｂとで、第１大入賞口１１を構成する内側開放扉８２が挟まれた形態で、それらが一体的に設けられており、第２大入賞口１２（外側開放扉９６）への玉の寄り具合を調整すれば、第１大入賞口１１（内側開放扉９２）の玉の寄り具合も自然に調整でき、釘調整を行い易い。
【００５１】
また、本実施例に次のような変形を加えてもよい。
（１）第１大入賞口１１及び第２大入賞口１２をそれぞれ板状の開放扉で構成したが、これに限定されるものではない。閉鎖状態と開放状態とを呈する可変入賞口であればよく、例えば遊技盤３面上に出現状態と非出現状態とを呈するように可動板を、左右両側に設けて外側可変入賞口を構成するとともに、その外側可変入賞口の内側に、同じく遊技盤３面上に出現状態と非出現状態とを呈する可動板で内側可変入賞口を構成して、これら外側可変入賞口（外側可動板）と内側可変入賞口（内側可動板）とが同一線上に位置するように一体的に設けることができる。これにより外側可変入賞口（外側可動板）への玉の寄り具合を調整すれば、内側可変入賞口（内側可動板）の玉の寄り具合も自然に調整できる。
【図面の簡単な説明】
【００５２】
【図１】本発明のパチンコ遊技機の正面模式図。
【図２】パチンコ遊技機の電気的構成を示すブロック図。
【図３】第１大入賞口及び第２大入賞口の説明図。
【図４】図３の第１大当たりの動作例を示す図。
【図５】図３の第２大当たりの動作例を示す図。
【図６】役物装置の説明図。
【図７】図柄変動処理のフローチャート。
【図８】第１大当たり処理のフローチャート。
【図９】第２大当たり処理のフローチャート。
【図１０】第１大入賞口及び第２大入賞口の他の例の説明図。
【図１１】図１０の第１大当たりの動作例を示す図。
【図１２】図１０の第２大当たりの動作例を示す図。
【図１３】第１大入賞口及び第２大入賞口のさらに他の例の説明図。
【図１４】図１３の第１大当たりの動作例を示す図。
【図１５】図１３の第２大当たりの動作例を示す図。
【符号の説明】
【００５３】
１    パチンコ遊技機
１１  第１大入賞口
１２  第２大入賞口
７２,８２,９２  内側開放扉（内側開放部材）
７３,８３,９３  開口部（内側入賞口）
７６,８６,９６  外側開放扉（外側開放部材）
７８,８８  開口部（外側入賞口）
７７  切欠部
９８ａ  開口部（外側左入賞口）
９８ｂ  開口部（外側右入賞口）
【図１】
2006320403.tif 000003
【図２】
2006320403.tif 000004
【図３】
2006320403.tif 000005
【図４】
2006320403.tif 000006
【図５】
2006320403.tif 000007
【図６】
2006320403.tif 000008
【図７】
2006320403.tif 000009
【図８】
2006320403.tif 000010
【図９】
2006320403.tif 000011
【図１０】
2006320403.tif 000012
【図１１】
2006320403.tif 000013
【図１２】
2006320403.tif 000014
【図１３】
2006320403.tif 000015
【図１４】
2006320403.tif 000016
【図１５】
2006320403.tif 000017